(57)【特許請求の範囲】
【請求項１】
無線通信システムにおける複合直交位相シフト方式を利用したデータ処理装置において、
モデムのデジタル変調方式の一種である複合直交位相シフト方式を利用してデータを処理するために、長周期コードを入力して同相類似雑音及び直交相類似雑音コードの各々を乗算するための第１乗算手段と、
前記第１乗算手段を介して乗算された同相類似雑音結果値と、モデムを介して伝達されるパイロットチャネル、専用制御チャネル、音声チャネル及び高速データチャネルとを各々乗算するための第２乗算手段と、
前記第１乗算手段を介して乗算された直交相類似雑音結果値と、モデムを介して伝達されるパイロットチャネル、専用制御チャネル、音声チャネル及び高速データチャネルとを各々乗算するための第３乗算手段と、
前記第２乗算手段による結果物の雑音を除去するためにフィルタリングを行ない、前記第３乗算手段による結果物の雑音を除去するためにフィルタリングを行なうための第１及び第２フィルタリング手段と、
前記第１及び第２フィルタリング手段を介して伝達された各々の結果値に利得を乗算して８個の利得乗算信号、すなわち、利得乗算同相パイロット信号、利得乗算同相専用制御チャネル信号、利得乗算同相音声チャネル信号、利得乗算同相高速データチャネル信号、利得乗算直交相パイロット信号、利得乗算直交相専用制御チャネル信号、利得乗算直交相音声チャネル信号、利得乗算直交相高速データチャネル信号を生成するための第４及び第５乗算手段と、
前記第４乗算手段を介して伝達される利得乗算同相パイロットチャネル信号と利得乗算同相専用制御チャネル信号とを加算した第１結果値と、前記第５乗算手段を介して伝達される利得乗算直交相音声チャネル信号と利得乗算直交相高速データチャネル信号の結果とを加算した第２結果値とを求めて、第１結果値と第２結果値の差を求めるための減算手段と、
前記第５乗算手段を介して伝達される利得乗算直交相パイロットチャネル信号と利得乗算直交相専用制御チャネル信号とを加算した第３結果値と、前記第４乗算手段を介して伝達される利得乗算同相音声チャネル信号と利得乗算同相高速データチャネル信号の結果とを加算した第４結果値とを求めて、第３結果値と第４結果値とを加算するための加算手段と、
前記減算手段を介して出力された結果値に応じて、同相チャネルを出力するための同相チャネル出力手段と、
前記加算手段を介して出力された結果値に応じて、直交相チャネルを出力するための直交相チャネル出力手段とを含み、
前記第２乗算手段に伝達されるパイロットチャネル、専用制御チャネル、音声チャネル及び高速データチャネルと、前記第３乗算手段に伝達されるパイロットチャネル、専用制御チャネル、音声チャネル及び高速データチャネルとは、それぞれ同一であることを特徴とする複合直交位相シフト方式を利用したデータ処理装置。
【請求項２】
前記減算手段は、
前記利得乗算同相パイロットチャネル信号と前記利得乗算同相専用制御チャネル信号とを加算した結果値と、前記利得乗算同相パイロットチャネル信号と前記利得乗算同相専用制御チャネル信号とを加算した第１結果値と、前記利得乗算直交相音声チャネル信号と前記利得乗算直交相高速データチャネル信号の結果とを加算した第２結果値とを求めて、第１結果値と第２結果値の差を求めるためのものであって、
Ｉｏ＝（ＰＩ＋ＤＣ）  ＸＯＲ  Ｉｃ−（ＦＤ＋ＳＭ）  ＸＯＲ  Ｑｃ
（ここで、ＰＩはパイロットチャネル、ＤＣは専用制御チャネル、ＩｃはＩｐｎ  ＸＯＲ  Ｌｃ、ＦＤは音声チャネル、ＳＭは高速データチャネル、ＱｃはＱｐｎ  ＸＯＲ  Ｌｃである）
のように表すことを特徴とする請求項１に記載の複合直交位相シフト方式を利用したデータ処理装置。
【請求項３】
前記加算手段は、
前記利得乗算直交相パイロットチャネル信号と前記利得乗算直交相専用制御チャネル信号とを加算した第３結果値と、前記利得乗算同相音声チャネル信号と前記利得乗算同相高速データチャネル信号の結果とを加算した第４結果値とを求めて、第３結果値と第４結果値とを加算するためのものであって、
Ｑｏ＝（ＰＩ＋ＤＣ）  ＸＯＲ  Ｑｃ＋（ＦＤ＋ＳＭ）  ＸＯＲ  Ｉｃ
（ここで、ＰＩはパイロットチャネル、ＤＣは専用制御チャネル、ＱｃはＱｐｎ  ＸＯＲ  Ｌｃ、ＦＤは音声チャネル、ＳＭは高速データチャネル、ＩｃはＩｐｎ  ＸＯＲ  Ｌｃである）
のように表すことを特徴とする請求項１または２に記載の複合直交位相シフト方式を利用したデータ処理装置。
【請求項４】
前記第１第２フィルタリング手段は、１ビットの入力を有するベースバンドフィルタを含むことを特徴とする請求項３に記載の複合直交位相シフト方式を利用したデータ処理装置。
【請求項５】
無線通信システムに適用される複合直交位相シフト方式を利用したデータ処理方法において、
モデムのデジタル変調方式の一種である複合直交位相シフト方式を利用してデータを処理するために、長周期コードを入力して同相類似雑音及び直交相類似雑音コードの各々を乗じる第１ステップと、
前記第１ステップを通じて乗じられた同相類似雑音結果値と、モデムを介して伝達されるパイロットチャネル、専用制御チャネル、音声チャネル及び高速データチャネルとを各々乗じる第２ステップと、
前記第１ステップを通じて乗じられた直交相類似雑音結果値と、モデムを介して伝達されるパイロットチャネル、専用制御チャネル、音声チャネル及び高速データチャネルとを各々乗じる第３ステップと、
前記第２ステップによる結果物の雑音を除去するためにベースバンドフィルタを各々通過させ、前記第３ステップによる結果物の雑音を除去するためにベースバンドフィルタを各々通過させる第４ステップと、
前記第４ステップを通じて得られた結果値に各々の利得を乗算して８個の利得乗算信号すなわち、利得乗算同相パイロット信号、利得乗算同相専用制御チャネル信号、利得乗算同相音声チャネル信号、利得乗算同相高速データチャネル信号、利得乗算直交相パイロット信号、利得乗算直交相専用制御チャネル信号、利得乗算直交相音声チャネル信号、利得乗算直交相高速データチャネル信号を生成する第５ステップと、
前記利得乗算同相パイロットチャネル信号と利得乗算同相専用制御チャネル信号とを加算した第１結果値と、前記第５乗算手段を介して伝達される利得乗算直交相音声チャネル信号と利得乗算直交相高速データチャネル信号の結果とを加算した第２結果値を求めて、第１結果値と第２結果値の差を求める第６ステップと、
前記利得乗算直交相パイロットチャネル信号と利得乗算直交相専用制御チャネル信号とを加算した第３結果値と、前記第４乗算手段を介して伝達される利得乗算同相音声チャネル信号と利得乗算同相高速データチャネル信号の結果とを加算した第４結果値を求めて、第３結果値と第４結果値とを加算する第７ステップと、
前記第７ステップの結果値に応じて、同相チャネル信号を求め、直交相チャネル信号を各々求める第８ステップとを含み、
前記第２ステップで伝達されるパイロットチャネル、専用制御チャネル、音声チャネル及び高速データチャネルと、前記第３ステップで伝達されるパイロットチャネル、専用制御チャネル、音声チャネル及び高速データチャネルとは、それぞれ同一であることを特徴とする複合直交位相シフト方式を利用したデータ処理方法。
【発明の詳細な説明】
【０００１】
【発明の属する技術分野】
本発明は、無線通信システムに好適な複合直交位相シフト方式を利用してハードウェアを設計する技術に関し、無線チャネルのデータ処理速度を向上させ、良質のデータを提供するＱＰＳＫ（Quadrature Phase Shift Keying）方式を利用したデータ処理装置及びその方法に関する。
【０００２】
本発明は、携帯用端末器のモデム部分の変復調方式を改善して、無線チャネルのデータ処理を高速に動作できるようにＡＳＩＣ（Application Specific Integrated Circuit）を用いて、変復調されたデータの処理速度を向上させてさらに良質のデータサービスを提供できるようにする。また、本発明は、画像あるいは音声と高速データを同時に使用する全ての無線通信装置に使用することができる。
【０００３】
【従来の技術】
モデム、すなわち変復調器とは、コンピュータから出力されるデジタル信号を、電話回線を介して伝送できるようにアナログ信号に変換（変調）し、入力されたアナログ信号をデジタル信号に変換する（復調）装置をいう。
【０００４】
現在使用している電話回線や専用回線は、音声信号用に構成されており、デジタル信号が通過すれば多くの減衰が起きるので、５０フィート以上離れている装置間にデータを伝送しようとすれば、モデムが必要となる。モデムは送信部と受信部とに大別できる。
【０００５】
送信部において、デジタル信号がエンコーダに入力され、スクランブルされる。スクランブルされた信号は、変調器に入力され、“１”や“０”が約１７００〜１８００Ｈｚ程度の搬送周波数に変調される。ここで、アナログ信号に変換された後、帯域制限フィルタを介して送信線路に出力される。
【０００６】
受信部において、通信線路から入力されるアナログ信号は、帯域制限フィルタを介して、所望の周波数帯域を割り当てられ、自動利得調節器（ＡＧＣ：Automatic Gain Control）に入力されて適切な大きさに分割される。アナログ信号は、復調器を介して復調された後デジタル信号に変換され、またデータデコーダを介して本来のデータに復元される。
【０００７】
モデムの変復調方式のうちアナログ方式には、振幅変調（ＡＭ：Amplitude Modulation）、周波数変調（ＦＭ：Frequency Modulation）、位相変調（ＰＭ：Phase Modulation）などがあり、デジタル方式には、周波数シフト方式（ＦＳＫ：Frequency Shift Keying）、振幅シフト方式（ＡＳＫ：Amplitude Shift Keying）、位相シフト方式（ＰＳＫ：Phase Shift Keying）、直交位相シフト方式（ＱＰＳＫ：Quadrature Phase Shift Keying）、複合直交位相シフト方式（ＣＱＰＳＫ：Complex Quadrature Phase Shift Keying）などがある。本発明ではＣＱＰＳＫについてのみ述べる。
【０００８】
【発明が解決しようとする課題】
従来の携帯用端末器に使用される変復調方式であるＱＰＳＫ方式では、多量のデータを效率的に処理することが困難である。しかし、次世代携帯通信では、単に音声のみでなく通話当事者間の画像やその他のインターネットサービスなどのような大容量のデータを処理しなければならない。モデム部分の変復調方式は、データ処理速度などに重大な影響を及ぼしており、既存の方式では現在要求されている無線端末器の性能に達していない。
【０００９】
したがって、次世代携帯通信端末器を具現するためには、種々のチャネル（音声チャネル、画像チャネル、コントロールチャネル、専用制御チャネルなど）を処理できる、すなわち高速データ処理が可能な変復調方案が要求される。
【００１０】
本発明は、このような問題に鑑みてなされたもので、その目的とするところは、無線チャネルのデータ処理速度を向上させ、良質のデータを提供する複合直交位相シフト方式利用したデータ処理装置及びその方法を提供することにある。
【００１１】
【課題を解決するための手段】
本発明は、このような目的を達成するために、請求項１に記載の発明は、無線通信システムにおける複合直交位相シフト方式を利用したデータ処理装置において、モデムのデジタル変調方式の一種である複合直交位相シフト方式を利用してデータを処理するために、長周期コードを入力して同相類似雑音及び直交相類似雑音コードの各々を乗算するための第１乗算手段と、前記第１乗算手段を介して乗算された同相類似雑音結果値と、モデムを介して伝達されるパイロットチャネル、専用制御チャネル、音声チャネル及び高速データチャネルとを各々乗算するための第２乗算手段と、前記第１乗算手段を介して乗算された直交相類似雑音結果値と、モデムを介して伝達されるパイロットチャネル、専用制御チャネル、音声チャネル及び高速データチャネルとを各々乗算するための第３乗算手段と、前記第２乗算手段による結果物の雑音を除去するためにフィルタリングを行ない、前記第３乗算手段による結果物の雑音を除去するためにフィルタリングを行なうための第１及び第２フィルタリング手段と、前記第１及び第２フィルタリング手段を介して伝達された各々の結果値に利得を乗算して８個の利得乗算信号、すなわち、利得乗算同相パイロット信号、利得乗算同相専用制御チャネル信号、利得乗算同相音声チャネル信号、利得乗算同相高速データチャネル信号、利得乗算直交相パイロット信号、利得乗算直交相専用制御チャネル信号、利得乗算直交相音声チャネル信号、利得乗算直交相高速データチャネル信号を生成するための第４及び第５乗算手段と、前記第４乗算手段を介して伝達される利得乗算同相パイロットチャネル信号と利得乗算同相専用制御チャネル信号とを加算した第１結果値と、前記第５乗算手段を介して伝達される利得乗算直交相音声チャネル信号と利得乗算直交相高速データチャネル信号の結果とを加算した第２結果値とを求めて、第１結果値と第２結果値の差を求めるための減算手段と、前記第５乗算手段を介して伝達される利得乗算直交相パイロットチャネル信号と利得乗算直交相専用制御チャネル信号とを加算した第３結果値と、前記第４乗算手段を介して伝達される利得乗算同相音声チャネル信号と利得乗算同相高速データチャネル信号の結果とを加算した第４結果値とを求めて、第３結果値と第４結果値とを加算するための加算手段と、前記減算手段を介して出力された結果値に応じて、同相チャネルを出力するための同相チャネル出力手段と、前記加算手段を介して出力された結果値に応じて、直交相チャネルを出力するための直交相チャネル出力手段とを含み、前記第２乗算手段に伝達されるパイロットチャネル、専用制御チャネル、音声チャネル及び高速データチャネルと、前記第３乗算手段に伝達されるパイロットチャネル、専用制御チャネル、音声チャネル及び高速データチャネルとは、それぞれ同一であることを特徴とする。
【００１２】
請求項５に記載の発明は、無線通信システムに適用される複合直交位相シフト方式を利用したデータ処理方法において、モデムのデジタル変調方式の一種である複合直交位相シフト方式を利用してデータを処理するために、長周期コードを入力されて同相類似雑音及び直交相類似雑音コードの各々を乗じる第１ステップと、前記第１ステップを通じて乗じられた同相類似雑音結果値と、モデムを介して伝達されるパイロットチャネル、専用制御チャネル、音声チャネル及び高速データチャネルとを各々乗じる第２ステップと、前記第１ステップを通じて乗じられた直交相類似雑音結果値と、モデムを介して伝達されるパイロットチャネル、専用制御チャネル、音声チャネル及び高速データチャネルとを各々乗じる第３ステップと、前記第２ステップによる結果物の雑音を除去するためにベースバンドフィルタを各々通過させ、前記第３ステップによる結果物の雑音を除去するためにベースバンドフィルタを各々通過させる第４ステップと、前記第４ステップを通じて得られた結果値に各々の利得を乗算して８個の利得乗算信号すなわち、利得乗算同相パイロット信号、利得乗算同相専用制御チャネル信号、利得乗算同相音声チャネル信号、利得乗算同相高速データチャネル信号、利得乗算直交相パイロット信号、利得乗算直交相専用制御チャネル信号、利得乗算直交相音声チャネル信号、利得乗算直交相高速データチャネル信号を生成する第５ステップと、前記利得乗算同相パイロットチャネル信号と利得乗算同相専用制御チャネル信号とを加算した第１結果値と、前記第５乗算手段を介して伝達される利得乗算直交相音声チャネル信号と利得乗算直交相高速データチャネル信号の結果とを加算した第２結果値を求めて、第１結果値と第２結果値の差を求める第６ステップと、前記利得乗算直交相パイロットチャネル信号と利得乗算直交相専用制御チャネル信号とを加算した第３結果値と、前記第４乗算手段を介して伝達される利得乗算同相音声チャネル信号と利得乗算同相高速データチャネル信号の結果とを加算した第４結果値を求めて、第３結果値と第４結果値とを加算する第７ステップと、前記第７ステップの結果値に応じて、同相チャネル信号を求め、直交相チャネル信号を各々求める第８ステップとを含み、前記第２ステップで伝達されるパイロットチャネル、専用制御チャネル、音声チャネル及び高速データチャネルと、前記第３ステップで伝達されるパイロットチャネル、専用制御チャネル、音声チャネル及び高速データチャネルとは、それぞれ同一であることを特徴とする。
【００１３】
【発明の実施の形態】
以下、図面を参照しながら本発明の実施形態について詳細に説明する。
【００１４】
図１は、本発明が適用される拡散及び複合直交位相シフト方式を示す構成例示図であって、４個のチャネル以外にも他のチャネルがあるが、ここでは４個のチャネルについてのみ説明する。
【００１５】
図１に示すように、４個のチャネルの出力にウォルシュコード（Walsh Code）を乗じた後、関連利得を乗じて、同位相類似雑音（ＰＮＩ）、直交相類似雑音（ＰＮＱ）、長周期類似雑音（ロングコード）により複合直交位相シフト方式変調を行ない、パルス成形フィルタ及び利得を介して最終的な変調信号が生成される。
【００１６】
ここで、ウォルシュコードとは、一連の相互直交コード分割多重接続（ＣＤＭＡ；Code Division Multiple Access）信号を作るために、直交２進関数中の一つであるウォルシュ関数を使用するコーディング方法であり、逆方向基本チャネル（Ｒ−ＦＣＨ）用に＋＋−−、逆方向専用制御チャネル（Ｒ−ＤＣＣＨ）用に＋＋＋＋−−−−、逆方向付加チャネル（Ｒ−ＳＣＨ）用に＋−または＋−＋−が用いられる。＋は０を意味し、−は１を意味するので、ウォルシュコードに用いられる四つのパターンは、簡単に３ビットカウンタの出力から得ることができる。
【００１７】
最終結果であるｓ（ｔ）は、４個のチャネルが各々合わせられて変調された信号であって、結局この信号を復調して元来の４個のチャネルを作ることができる。
【００１８】
後述する図２の複合直交位相シフト方式ブロック図において、入力は下記の式（１）で表される。
Ｄｉ＝ＰＩ＋ＤＣ
Ｄｑ＝ＦＤ＋ＳＭ      （１）
ここで、ＰＩはパイロットチャネル、ＤＣは専用制御チャネル、ＦＤは音声チャネル、ＳＭは高速データチャネルを各々示す。
【００１９】
また、拡散のための類似雑音コード（ＰＮ  ｃｏｄｅ）は、下記の式（２）で表される。
Ｉｃ＝Ｉｐｎ  ＸＯＲ  Ｌｃ
Ｑｃ＝Ｑｐｎ  ＸＯＲ  Ｌｃ      （２）
ここで、Ｉｐｎは同位相チャネル類似雑音コード、Ｑｐｎは直交位相チャネル類似雑音コード、Ｌｃは長周期類似雑音コードを各々示す。
【００２０】
従って、複合直交位相シフト方式の結果は、下記の式（３）で表される。
Ｉｏ＝Ｄｉ  ＸＯＲ  Ｉｃ−Ｄｑ  ＸＯＲ  Ｑｃ
Ｑｏ＝Ｄｉ  ＸＯＲ  Ｑｃ＋Ｄｑ  ＸＯＲ  Ｉｃ      （３）
ここで、Ｉｏ及びＱｏは多重ビットで表現されるので、パルス成形フィルタとして多重ビット入力フィルタを使用しなければならない。しかし、複合乗算とフィルタの演算順を入れ換えることにより、単一ビット入力フィルタの使用が可能であるが、下記の式（４）のような変更が要求される。
【００２１】
まず、Ｉｏ及びＱｏを下記のように解く。
Ｉｏ＝（ＰＩ＋ＤＣ）  ＸＯＲ  Ｉｃ−（ＦＤ＋ＳＭ）  ＸＯＲ  Ｑｃ
Ｑｏ＝（ＰＩ＋ＤＣ）  ＸＯＲ  Ｑｃ＋（ＦＤ＋ＳＭ）  ＸＯＲ  Ｉｃ  （４）
式（４）から、ビット解像度を有する８個の出力に分解すれば、Ｉｏ及びＱｏは下記の式（５）で表される。
Ｉｏ＝ＰＩ  ＸＯＲ  Ｉｃ＋ＤＣ  ＸＯＲ  Ｉｃ−ＦＤ  ＸＯＲ  Ｑｃ−ＳＭ  ＸＯＲ  Ｑｃ
Ｑｏ＝ＰＩ  ＸＯＲ  Ｑｃ＋ＤＣ  ＸＯＲ  Ｑｃ＋ＦＤ  ＸＯＲＩｃ＋ＳＭ  ＸＯＲ  Ｉｃ      （５）
上記の結果により、複合直交位相シフト方式の結果を、１ビット解像度を有する８個の出力に分解した後、各々の８つの出力は、ベースバンドフィルタを通過する。フィルタの結果に利得を乗じた後に、上記式にしたがって合算する。
【００２２】
図３は、本発明に係る複合直交位相シフト方式を利用したデータ処理装置の一実施形態の構成図である。
【００２３】
図３に示すように、複合直交位相シフト方式を利用したデータ処理装置は、モデムのデジタル変調方式の一種である複合直交位相シフト方式を利用してデータを処理するために、長周期コードを入力して、同相類似雑音（Ｉｐｎ）及び直交相類似雑音（Ｑｐｎ）コードを乗算するための第１乗算部３１と、第１乗算部３１により乗算された同相類似雑音結果値とモデムを介して伝達されるパイロットチャネル（ＰＩ）、専用制御チャネル（ＤＣ）、音声チャネル（ＦＤ）及び高速データチャネル（ＳＭ）を乗算するための第２乗算部３２と、第１乗算部３１により乗算された直交相類似雑音結果値とモデムを介して伝達されるパイロットチャネル、専用制御チャネル、音声チャネル及び高速データチャネルを乗算するための第３乗算部３３と、第２乗算部３２を介した結果物の雑音を除去するためにフィルタリングを行ない、第３乗算部３３を介した結果物の雑音を除去するためにフィルタリングを行なうための第１及び第２フィルタリング部３４、３５と、第１及び第２フィルタリング部３４、３５を介して伝達された各々の結果値に利得を乗算するための第４及び第５乗算部３６、３７と、第４乗算部３６を介して伝達される同相類似雑音結果値に応じてパイロットチャネルの結果と専用制御チャネルの結果を加算した結果値と、第５乗算部３７を介して伝達される直交相類似雑音結果値に応じて音声チャネルの結果と高速データチャネルの結果を加算した結果値を求めてその差を求めるための減算部３８と、第５乗算部３７を介して伝達される直交相類似雑音結果値に応じてパイロットチャネルの結果と専用制御チャネルの結果を加算した結果値と、第４乗算部３６を介して伝達される同相類似雑音結果値に応じて音声チャネルの結果と高速データチャネルの結果を加算した結果値を求めてこれを加算するための加算部３９と、減算部３８を介して出力された結果値に応じて、同相チャネル（I-channel）を出力するための同相チャネル出力部４０と、加算部３９を介して出力された結果値に応じて、直交相チャネル（Q-channel）を出力するための直交相チャネル出力部４１とを備える。
【００２４】
上述したような構造を有する本発明の複合直交位相シフト方式を利用したデータ処理装置の動作を詳細に説明する。
【００２５】
パルス成形フィルタの出力は、送信同相信号群、送信直交相信号群、及び送信周期により出力される。データが送信周期の立ち下がりエッジで出力されるので、送信同相信号及び送信直交相信号データは、送信周期の立ち上がりエッジで受信されるべきである。この波形は、図４のタイミング図に示す。
【００２６】
図５は、本発明に係る複合直交位相シフト方式を利用したデータ処理方法の一実施形態のフローチャートである。
【００２７】
図５に示すように、モデムのデジタル変調方式の一種である複合直交位相シフト方式を利用してデータを処理するために、まず長周期コードを入力して（５０１）、同相類似雑音及び直交相類似雑音の各々を乗じる（５０２、５０３）。
【００２８】
次いで、上記５０２、５０３過程の結果と次世代モデムの主要４個のチャネルであるパイロットチャネル、専用制御チャネル、音声チャネル、高速データチャネルの各々を乗じる（５０４ないし５０７）。
【００２９】
同様に、上記５０２、５０３過程の結果と次世代モデムの主要４個のチャネルであるパイロットチャネル、専用制御チャネル、音声チャネル、高速データチャネルの各々を乗じる（５０８ないし５１１）。
【００３０】
そして、上記５０４ないし５０７過程の結果物の雑音を除去するために、ベースバンドフィルタを各々通過させ（５１２ないし５１５）、同様に、上記５０８ないし５１１過程の結果物の雑音を除去するために、ベースバンドフィルタを各々通過させる（５１６ないし５１９）。
【００３１】
次いで、上記５１２ないし５１５過程の結果物に利得を乗じ（５２０ないし５２３）、同様に、上記５１６ないし５１９過程の結果物に利得を乗じる（５２４ないし５２７）。
【００３２】
次いで、上記５２０、５２１過程を通じて出力されたパイロットチャネルの結果と専用制御チャネルの結果を足してその結果値を求め（５２８）、上記５２２、５２３過程を通じて出力された音声チャネルの結果と高速データチャネルの結果を足してその結果値を求め（５２９）、上記５２４、５２５過程を通じて出力されたパイロットチャネルの結果と専用制御チャネルの結果を足してその結果値を求め（５３０）、上記５２６、５２７過程を通じて出力された音声チャネルの結果と高速データチャネルの結果を足してその結果値を求める（５３１）。
【００３３】
その後、前記５２８過程の結果から５３１過程の結果を引いて得られる本発明の最終結果として、一つの同相出力群を求め（５３４）、上記５２９過程の結果に前記５３０過程の結果として、もう一つの直交相出力群を求める（５３５）。
【００３４】
【発明の効果】
以上説明したように、本発明によれば、無線チャネルのデータ処理速度を向上させ、良質のデータを提供することが可能となる。
【００３５】
また、本発明によれば、現在の端末器モデムの変復調方式より進歩した形態の複合直交位相シフト方式を利用してより速くて強い変復調を行なうことができるようにしてより多くの量の無線データを処理できるという優れた効果がある。
【図面の簡単な説明】
【図１】本発明が適用される拡散及び複合直交位相シフト方式を示す構成例示図である。
【図２】本発明に係る複合直交位相シフト方式の機能を示す一実施形態の説明図である。
【図３】本発明に係る複合直交位相シフト方式を利用したデータ処理装置の一実施形態の構成図である。
【図４】本発明に係る送信同位相／直交位相を示す一実施の形態のタイミング図である。
【図５】本発明に係る複合直交位相シフト方式を利用したデータ処理方法の一実施形態のフローチャートである。
【符号の説明】
３１    第１乗算部
３２    第２乗算部
３３    第３乗算部
３４    第１フィルタリング部
３５    第２フィルタリング部
３６    第４乗算部
３７    第５乗算部
３８    減算部
３９    加算部
４０    同相チャネル出力部
４１    直交相チャネル出力部
【図１】
0003886853.tif 000002
【図２】
0003886853.tif 000003
【図３】
0003886853.tif 000004
【図４】
0003886853.tif 000005
【図５】
0003886853.tif 000006